(57)【要約】【課題】一人でもマットレスに取り付けることが容易なシーツを提供する。【解決手段】シーツ１は、マットレス３０の少なくとも上面部３１Ａを覆うシーツ本体部１０と、シーツ本体部１０の第１角部１３Ａと第２角部１３Ｂとを結ぶ第１端部１１Ａに沿って取り付けられ、マットレス３０の第１側面部３２Ａに掛止される袋状部２０と、を有する。袋状部２０は、第１角部１３Ａと第２角部１３Ｂから離間した位置に取り付けられ、シーツ本体部１０よりも伸縮性が高い。【選択図】図５
2019170413.tif 000002
【特許請求の範囲】
【請求項１】
マットレスを覆うシーツであって、
前記マットレスの少なくとも上面部を覆うシーツ本体部と、
前記シーツ本体部の第１角部と第２角部とを結ぶ第１端部に沿って取り付けられ、前記マットレスの側面部に掛止される袋状部と、を有し、
前記袋状部は、前記第１角部と前記第２角部から離間した位置に取り付けられ、前記シーツ本体部よりも伸縮性が高いことを特徴とするシーツ。
【請求項２】
前記袋状部は、第１短辺部と、第２短辺部と、第１長辺部と、第２長辺部と、を有する矩形状であり、
前記第１長辺部を前記第１端部と重なる位置に設けた状態で、前記第１短辺部、前記第２短辺部、及び前記第１長辺部が、前記シーツ本体部に縫い付けられ、
前記第２長辺部と前記シーツ本体部との間の開口部に前記マットレスの側面部が掛止されることを特徴とする請求項１に記載のシーツ。
【請求項３】
前記第１短辺部は、前記袋状部において前記第１角部に最も近く、
前記第２短辺部は、前記袋状部において前記第２角部に最も近く、
前記第１短辺部と前記第１角部の距離と、前記第２短辺部と前記第２角部の距離は略等しいことを特徴とする請求項２に記載のシーツ。
【請求項４】
前記袋状部は、前記マットレスの短辺側の前記側面部に掛止されることを特徴とする請求項１乃至３のいずれかに記載のシーツ。
【請求項５】
前記袋状部は、第１袋状部と第２袋状部を有し、
前記第１袋状部は、前記シーツ本体部の前記第１端部に取り付けられ、
前記第２袋状部は、前記シーツ本体部の前記第１端部と反対側の第２端部に取り付けられることを特徴とする請求項１乃至４のいずれかに記載のシーツ。
【請求項６】
前記袋状部は、前記第１端部に沿った第１方向の伸び率が、前記第１方向と垂直の第２方向の伸び率よりも大きいことを特徴とする請求項１乃至５のいずれかに記載のシーツ。
【請求項７】
前記シーツ本体部は、綿、麻、シルクの少なくともいずれかを含む生地からなり、
前記袋状部は、ポリエステルとポリウレタンを含む生地からなることを特徴とする請求項１乃至６のいずれかに記載のシーツ。
【発明の詳細な説明】
【技術分野】
【０００１】
本発明は、マットレスを覆うシーツに係り、特にマットレスへの取り付けを容易としたシーツに関する。
【背景技術】
【０００２】
一般家庭、病院、ホテル等に設置されるベッド用のマットレスを覆う交換可能なシーツが知られている。こうしたシーツとしては例えばシート状のタイプと袋状のボックスタイプのものがある。
【０００３】
シート状のタイプのシーツをマットレスに取り付ける際には、マットレスとの上面を覆うように配置した後に、シートの前後左右の端部をマットレスの下面側に押し込むようにすることが一般的である。
また、ボックスタイプのシーツをマットレスに取り付ける際には、例えば特許文献１に記載されているように、マットレスの四隅にシーツの袋部を引っ掛けるものが一般的である。
【先行技術文献】
【特許文献】
【０００４】
【特許文献１】特許第５８０２０８６号公報
【発明の概要】
【発明が解決しようとする課題】
【０００５】
ところで、ホテル業等においては、シーツの交換作業者の減少や、作業効率の向上のために、一人の作業者でもシーツを迅速に交換可能とすることが望まれている。
【０００６】
しかしながら、シート状のタイプのシーツを取り付ける際には、マットレスの前後左右の各側面においてシーツをマットレスの下面に押し込む作業が発生するため、シーツ取り付け作業に時間がかかってしまう。
また、上記の特許文献１に記載のシーツについても、マットレスの四隅にシーツの袋部をそれぞれ引っ掛ける作業が必要であるため、一人の作業者が迅速にシーツの取り付け作業を行うことは難しい。
【０００７】
本発明は上記の課題に鑑みてなされたものであって、その目的は、一人でもマットレスに取り付けることが容易なシーツを提供することにある。
【課題を解決するための手段】
【０００８】
上記課題は、本発明に係るシーツによれば、マットレスを覆うシーツであって、前記マットレスの少なくとも上面部を覆うシーツ本体部と、前記シーツ本体部の第１角部と第２角部とを結ぶ第１端部に沿って取り付けられ、前記マットレスの側面部に掛止される袋状部と、を有し、前記袋状部は、前記第１角部と前記第２角部から離間した位置に取り付けられ、前記シーツ本体部よりも伸縮性が高いことにより解決される。
上記のシーツによれば、シーツの袋状部をマットレスの側面部に引っ掛けることで装着可能となる。また、シーツの袋状部がマットレスの側面部に係止された状態で、シーツ本体部をマットレスの他の側面部を覆うように垂らすことができる。
こうすることで、上記のシーツによれば、マットレスの上面部と側面部を覆うようにシーツをマットレスに装着する上で、マットレスの下面部に巻き込むシーツの箇所を減らすことができる。
これにより、上記のシーツによれば、一人でも簡単にシーツをマットレスに取り付けることができる。すなわち、上記のシーツによれば、シーツをマットレスに取り付ける労力を軽減できる。
【０００９】
上記のシーツにおいて、前記袋状部は、第１短辺部と、第２短辺部と、第１長辺部と、第２長辺部と、を有する矩形状であり、前記第１長辺部を前記第１端部と重なる位置に設けた状態で、前記第１短辺部、前記第２短辺部、及び前記第１長辺部が、前記シーツ本体部に縫い付けられ、前記第２長辺部と前記シーツ本体部との間の開口部に前記マットレスの側面部が掛止されるとよい。
こうすることで、シーツ本体部には第１側面部を覆う部分を設ける必要がないため、シーツ本体部の面積を小さくすることができる。
【００１０】
上記のシーツにおいて、前記第１短辺部は、前記袋状部において前記第１角部に最も近く、前記第２短辺部は、前記袋状部において前記第２角部に最も近く、前記第１短辺部と前記第１角部の距離と、前記第２短辺部と前記第２角部の距離は略等しいとよい。
こうすることで、シーツ本体部がマットレスの両側面を覆うために必要な幅を最小にすることができる。これにより、マットレスの上面部と側面部を覆うために必要なシーツ本体部の面積を小さくすることができる。
【００１１】
上記のシーツにおいて、前記袋状部は、前記マットレスの短辺側の前記側面部に掛止されるとよい。
こうすることで、マットレスの短辺側の側面部に袋状部を取り付けることにより、マットレスの長辺側の側面部に袋状部を取り付ける場合に比べて、袋状部の取付が容易となる。
【００１２】
上記のシーツにおいて、前記袋状部は、第１袋状部と第２袋状部を有し、前記第１袋状部は、前記シーツ本体部の前記第１端部に取り付けられ、前記第２袋状部は、前記シーツ本体部の前記第１端部と反対側の第２端部に取り付けられるとよい。
こうすることで、シーツを左右対称に構成することができる。これにより、第１袋状部と第２袋状部のいずれかを第１側面部に掛止することにより、シーツをマットレスに取り付けることができる。すなわち、シーツをマットレスに取り付ける際のシーツの向きを合わせる労力を軽減できる。そのため、シーツをマットレスに取り付ける作業性を更に向上できる。
【００１３】
上記のシーツにおいて、前記袋状部は、前記第１端部に沿った第１方向の伸び率が、前記第１方向と垂直の第２方向の伸び率よりも大きいとよい。
こうすることで、袋状部をマットレスの第１側面部に取り付けやすくなる。そのため、シーツをマットレスに取り付ける作業性をより向上できる。
【００１４】
上記のシーツにおいて、前記シーツ本体部は、綿、麻、シルクの少なくともいずれかを含む生地からなり、前記袋状部は、ポリエステルとポリウレタンを含む生地からなるとよい。
こうすることで、袋状部の洗濯後の乾燥効率を向上できる。また、袋状部の洗濯後の縮率を低く抑えることができる。これにより、シーツの再利用性を向上できる。
【発明の効果】
【００１５】
本発明のシーツによれば、一人でもマットレスに取り付けることが容易とすることができる。
【図面の簡単な説明】
【００１６】
【図１】シーツを広げた状態の下面図である。
【図２】シーツを広げた状態の側面図である。
【図３】マットレスの上面図である。
【図４】マットレスの側面図である。
【図５】シーツをマットレスに取り付ける工程の説明図である。
【図６】シーツをマットレスに取り付ける工程の説明図である。
【図７】シーツをマットレスに取り付ける工程の説明図である。
【図８】シーツをマットレスに取り付ける工程の説明図である。
【図９】第１変形例に係るシーツの下面図である。
【図１０】第２変形例に係るシーツの下面図である。
【発明を実施するための形態】
【００１７】
以下、図１乃至図１０を参照しながら、本発明の実施の形態（以下、本実施形態）に係るシーツ１について説明する。シーツ１は、寝具としてのマットレス３０に装着され、マットレス３０の上面と側面を覆うものである。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれる。
【００１８】
＜シーツ１の構成＞
図１及び図２に示されるように、シーツ１は、シーツ本体部１０と、袋状部２０とを備える。シーツ１はマットレス３０の上面と側面を覆うように装着される寝具用敷布である。
【００１９】
シーツ１の説明に先立ち、図３及び図４を参照しながら、マットレス３０の構成について簡単に説明する。
図３及び図４に示されるように、マットレス３０は略直方体状に構成される。例えば、マットレス３０は、スプリングマットレス、ウレタンマットレス、パームマットレス等を用いることとしてよい。
図３及び図４に示されるように、マットレス３０は、ベッドに配置する際に上面となる上面部３１Ａ、下面となる下面部３１Ｂ、側面となる第１側面部３２Ａ、第２側面部３２Ｂ、第３側面部３２Ｃ及び第４側面部３２Ｄを有する。
ここで、第１側面部３２Ａがベッドの頭部側に配される。なお、上記のベッドの頭部側とは、ベッドに横たわる利用者の頭部が置かれる側をいう。
なお、本実施形態では、上面視において、第１側面部３２Ａ及び第２側面部３２Ｂは、マットレス３０の短辺を構成し、第３側面部３２Ｃ及び第４側面部３２Ｄは、マットレス３０の長辺を構成する。
【００２０】
以下では、シーツ１に関し、まずシーツ本体部１０の構成について説明する。
シーツ１のシーツ本体部１０は、少なくともマットレス３０の上面部３１Ａを覆うようにマットレス３０に取り付けられる。具体的には、シーツ本体部１０は、例えば綿、麻、シルク等の生地を用いて矩形状に形成される。
【００２１】
以下では、シーツ本体部１０の四隅をそれぞれ、第１角部１３Ａ、第２角部１３Ｂ、第３角部１３Ｃ、第４角部１３Ｄとする。なお、第１角部１３Ａと第３角部１３Ｃ、そして第２角部１３Ｂと第４角部１３Ｄとがそれぞれ対角線上に位置する。
【００２２】
シーツ本体部１０において、第１角部１３Ａと第２角部１３Ｂとを結ぶ端部を第１端部１１Ａとする。第１端部１１Ａは、ベッド（マットレス３０）の頭部側に配される端部である。
また、以下において第１端部１１Ａに沿った方向を第１方向とし、第１端部１１Ａと垂直な方向を第２方向とする。
【００２３】
シーツ本体部１０において、第３角部１３Ｃと第４角部１３Ｄとを結ぶ端部を第２端部１１Ｂとする。第１端部１１Ａと第２端部１１Ｂは互いに第１方向に沿った端部であり、第２方向の中央部に対して互いに反対側に設けられる。
【００２４】
シーツ本体部１０において、第１角部１３Ａと第４角部１３Ｄを結ぶ端部を第３端部１１Ｃとする。また、シーツ本体部１０において第２角部１３Ｂと第３角部１３Ｃを結ぶ端部を第４角部１３Ｄとする。
第３端部１１Ｃ及び第４角部１３Ｄはそれぞれ第２方向に沿った端部であり、互いに第１方向の中央部に対して互いに反対側に設けられる。
【００２５】
そして、図１及び図２に示されるように、シーツ本体部１０の下面側、すなわちマットレス３０と当接する側の面には袋状部２０が取り付けられる。
【００２６】
袋状部２０は、シーツ本体部１０よりも小さい矩形状に構成される。また、袋状部２０は、シーツ本体部１０よりも伸縮性が高い生地により構成される。
より詳細には、袋状部２０は、第１方向の伸び率が、第２方向の伸び率よりも大きいように構成することとしてよい。一例としては、袋状部２０の第１方向の伸び率を１４０％、第２方向の伸び率を１２０％とする。また、袋状部２０の第１方向及び第２方向の伸び率は上記の数値に限定されるものではない。例えば袋状部２０の第１方向の伸び率が１３０％〜１５０％の範囲、第２方向の伸び率が１１０％〜１３０％の範囲の任意の値となるよう袋状部２０を構成してもよい。
袋状部２０は、例えばポリエステルとポリウレタンを含む生地から構成されることとしてよい。ポリエステルとポリウレタンの含有率はそれぞれ任意に定めることとしてよいが、一例としてはポリエステルを３０％とする。こうすることで、シーツ１を洗濯した後の乾燥効率を向上させるとともに、縮率を低く抑えることができる。そのため、シーツ１を繰り返し洗濯した場合の耐性を高めることができる。
また、袋状部２０を構成する生地にポリウレタンを含有することにより、袋状部２０の弾力性を向上させることができる。そのため、後述するように袋状部２０をマットレス３０の第１側面部３２Ａに掛止させやすくなる。
【００２７】
袋状部２０は、矩形状に構成され、以下では袋状部２０の四辺をそれぞれ、第１短辺部２０Ａ、第２短辺部２０Ｂ、第１長辺部２０Ｃ及び第２長辺部２０Ｄとする。
そして、図１に示されるように、袋状部２０の第１長辺部２０Ｃを、シーツ本体部１０の第１端部１１Ａに沿わせて配置して、第１短辺部２０Ａ、第２短辺部２０Ｂ及び第１長辺部２０Ｃの内側をシーツ本体部１０に対して縫い付ける。ここでシーツ本体部１０と袋状部２０との縫い付け部分を縫合部２１とする。
【００２８】
袋状部２０の取り付け位置について説明すると、袋状部２０の第１方向の中央部が、シーツ本体部１０の第１方向における中央部と重なるように設けられる。換言すれば、袋状部２０の第１短辺部２０Ａと第１角部１３Ａとの距離と、袋状部２０の第２短辺部２０Ｂと第２角部１３Ｂとの距離が略等しくなるように、袋状部２０はシーツ本体部１０に取り付けられる。
なお、第１短辺部２０Ａと第３端部１１Ｃとの距離は、マットレス３０の第３側面部３２Ｃの上下方向の幅よりも長くする。そして、第２短辺部２０Ｂと第４端部１１Ｄとの距離は、マットレス３０の第４側面部３２Ｄの上下方向の幅よりも長くする。
【００２９】
図１に示されるように、袋状部２０の第２長辺部２０Ｄはシーツ本体部１０に対して縫い付けられておらず、シーツ本体部１０と袋状部２０との間には開口部２３が形成される。この開口部２３は、袋状部２０が伸びることにより、マットレス３０に掛止することができる。
【００３０】
＜シーツ１のマットレス３０への取り付け工程＞
以下、図５乃至図８を参照しながら、シーツ１のマットレス３０への取り付け工程について説明する。
図５に示すように、シーツ１の袋状部２０をマットレス３０の第１側面部３２Ａに掛止する。具体的には、袋状部２０の第２長辺部２０Ｄ側の開口部２３に第１側面部３２Ａを入れ込むようにして、袋状部２０を第１側面部３２Ａに引っ掛ける。
【００３１】
次に、図６に示すように、シーツ本体部１０をマットレス３０の上面部３１Ａ、第３側面部３２Ｃ及び第４側面部３２Ｄを覆うように垂らす。
ここで、図７には、図６に対応した上面図を模式的に示した。図７における、シーツ本体部１０の上面被覆部１０Ａは、マットレス３０の上面部３１Ａを覆う部分であり、折り返し部１０Ｂは、マットレス３０の上面部３１Ａを覆っていない余剰部分である。
【００３２】
次に、図８に示されるように、シーツ本体部１０の折り返し部１０Ｂをマットレス３０の第２側面部３２Ｂ及び下面部３１Ｂに沿って折り曲げて、マットレス３０の下面部３１Ｂに差し込む。
これにより、シーツ１が、マットレス３０の上面部３１Ａ、第１側面部３２Ａ、第２側面部３２Ｂ、第３側面部３２Ｃ及び第４側面部３２Ｄを覆うように、マットレス３０に対して装着されることとなる。
【００３３】
以上の取り付け工程によれば、マットレス３０の第１側面部３２Ａに袋状部２０を掛止し、マットレス３０の第２側面部３２Ｂ側にのみシーツ本体部１０を差し込むことで、シーツ１をマットレス３０に取り付けることができる。
これにより、一人でもシーツ１をマットレス３０に容易に取り付けることができる。また、シーツ１の取り付け工程を簡単にすることができるためシーツ１の取り付け作業に要する時間を短縮できる。
【００３４】
＜変形例＞
ここで図９及び図１０を参照しながら、シーツ１の変形例について説明する。
【００３５】
図９には、第１変形例に係るシーツ１Ａの構成を示した。図９に示されるように、第１変形例に係るシーツ１Ａは、シーツ本体部１０に対して第１袋状部としての袋状部２０に加えて、第２袋状部としての袋状部２０−１を更に設けた点で、シーツ１と相違し、他の点では共通する。
なお、袋状部２０−１は、袋状部２０と左右対称に構成されるものであり、袋状部２０と実質的な構成は同一である。具体的には、袋状部２０−１は、シーツ本体部１０に対し、第２端部１１Ｂに沿って取り付けられる。
【００３６】
このように、シーツ本体部１０に対して、第１端部１１Ａと第２端部１１Ｂに袋状部２０と袋状部２０−１を設けるようにしたことで、マットレス３０の第１側面部３２Ａに対して、第１端部１１Ａと第２端部１１Ｂのいずれを合わせても取り付けが可能となる。そのため、作業者は、シーツ１Ａの第１端部１１Ａと第２端部１１Ｂの向きを気にせずにシーツ１Ａをマットレス３０に取り付けることができる。
これにより、シーツ１Ａを反転させる作業を省略できるため、作業性を更に向上できる。
【００３７】
次に、図１０には、第２変形例に係るシーツ１Ｂの構成を示した。図１０に示されるように、第２変形例に係るシーツ１Ｂは、シーツ本体部１０の第１長辺部２０Ｃ側に袋状部２０−２を設けた点で、シーツ１と相違する。
袋状部２０−２は、マットレス３０の第３側面部３２Ｃに掛止される部分であり、第３側面部３２Ｃが掛止可能な大きさに形成する以外の点では袋状部２０の構成と同様であるため、詳細な説明は省略する。
なお、シーツ１Ｂにおいて、シーツ１Ａと同様に、袋状部２０−２を第４端部１１Ｄ側にも設けてもよい。
【００３８】
＜まとめ＞
以上説明した本実施形態に係るシーツ１（シーツ１Ａ、シーツ１Ｂ）の主な特徴は以下の通りである。
【００３９】
［１］本実施形態に係るシーツ１は、マットレス３０を覆う。シーツ１は、マットレス３０の少なくとも上面部３１Ａを覆うシーツ本体部１０と、シーツ本体部１０の第１角部１３Ａと第２角部１３Ｂとを結ぶ第１端部１１Ａに沿って取り付けられ、マットレス３０の側面部（第１側面部３２Ａ）に掛止される袋状部２０と、を有する。袋状部２０は、第１角部１３Ａと第２角部１３Ｂから離間した位置に取り付けられ、シーツ本体部１０よりも伸縮性が高い。
上記のシーツ１によれば、シーツ１の袋状部２０をマットレス３０の第１側面部３２Ａに引っ掛けることで装着可能となる。また、シーツ１の袋状部２０がマットレス３０の第１側面部３２Ａに係止された状態で、シーツ本体部１０をマットレス３０の他の側面部（第３側面部３２Ｃ、第４側面部３２Ｄ）を覆うように垂らすことができる。
こうすることで、上記のシーツ１によれば、マットレス３０の上面部３１Ａと側面部（第１側面部３２Ａ、第２側面部３２Ｂ、第３側面部３２Ｃ、第４側面部３２Ｄ）を覆うようにシーツ１をマットレス３０に装着する上で、マットレス３０の下面部３１Ｂに巻き込むシーツ１の箇所を減らすことができる。
これにより、上記のシーツ１によれば、一人でも簡単にシーツ１をマットレス３０に取り付けることができる。すなわち、上記のシーツ１によれば、シーツ１をマットレス３０に取り付ける労力を軽減できる。
【００４０】
［２］上記のシーツ１において、袋状部２０は、第１短辺部２０Ａと、第２短辺部２０Ｂと、第１長辺部２０Ｃと、第２長辺部２０Ｄと、を有する矩形状である。第１長辺部２０Ｃを第１端部１１Ａと重なる位置に設けた状態で、第１短辺部２０Ａ、第２短辺部２０Ｂ、及び第１長辺部２０Ｃが、シーツ本体部１０に縫い付けられる。第２長辺部２０Ｄとシーツ本体部１０との間の開口部２３にマットレス３０の第１側面部３２Ａが掛止される。
こうすることで、シーツ本体部１０には第１側面部３２Ａを覆う部分を設ける必要がないため、シーツ本体部１０の面積を小さくすることができる。
【００４１】
［３］上記のシーツ１において、第１短辺部２０Ａは、袋状部２０において第１角部１３Ａに最も近く、第２短辺部２０Ｂは、袋状部２０において第２角部１３Ｂに最も近い。そして、第１短辺部２０Ａと第１角部１３Ａの距離と、第２短辺部２０Ｂと第２角部１３Ｂの距離は略等しい。
こうすることで、シーツ本体部１０がマットレス３０の両側面を覆うために必要な幅を最小にすることができる。これにより、マットレス３０の上面部と側面部を覆うために必要なシーツ本体部１０の面積を小さくすることができる。
【００４２】
［４］上記のシーツ１において、袋状部２０は、マットレス３０の短辺側の側面部（第１側面部３２Ａ）に掛止される。
こうすることで、マットレス３０の短辺側の側面部（第１側面部３２Ａ、第２側面部３２Ｂ）に袋状部２０を取り付けることにより、マットレス３０の長辺側の側面部（第３側面部３２Ｃ、第４側面部３２Ｄ）に袋状部２０を取り付ける場合に比べて、袋状部２０の取付が容易となる。
【００４３】
［５］上記のシーツ１において、袋状部２０は、第１袋状部と第２袋状部を有し、第１袋状部は、シーツ本体部１０の第１端部１１Ａに取り付けられ、第２袋状部は、シーツ本体部１０の第１端部１１Ａと反対側の第２端部１１Ｂに取り付けられる。
こうすることで、シーツ１を左右対称に構成することができる。これにより、第１袋状部と第２袋状部のいずれかを第１側面部３２Ａに掛止することにより、シーツ１をマットレス３０に取り付けることができる。すなわち、シーツ１をマットレス３０に取り付ける際のシーツ１の向きを合わせる労力を軽減できる。そのため、シーツ１をマットレス３０に取り付ける作業性を更に向上できる。
【００４４】
［６］上記のシーツ１において、袋状部２０は、第１端部１１Ａに沿った第１方向の伸び率が、第１方向と垂直の第２方向の伸び率よりも大きい。
こうすることで、袋状部２０をマットレス３０の第１側面部３２Ａに取り付けやすくなる。そのため、シーツ１をマットレス３０に取り付ける作業性をより向上できる。
【００４５】
［７］上記のシーツ１において、シーツ本体部１０は、綿、麻、シルクの少なくともいずれかを含む生地からなり、袋状部２０は、ポリエステルとポリウレタンを含む生地からなる。
こうすることで、袋状部２０の洗濯後の乾燥効率を向上できる。また、袋状部２０の洗濯後の縮率を低く抑えることができる。これにより、シーツ１の再利用性を向上できる。
【００４６】
＜その他の実施形態＞
本発明は上記の実施形態に限定されるものではない。
例えば、上記の実施形態では、シーツ本体部１０に対して袋状部２０を縫い付けることとしたが、シーツ本体部１０に対して袋状部２０を接着剤により取り付けることとしてもよい。
【００４７】
また、シーツ本体部１０に対して、例えば第１端部１１Ａと第３端部１１Ｃに対してそれぞれ袋状部２０及び袋状部２０−２を取り付けるように構成してもよい。
また、シーツ１のシーツ本体部１０に関し、マットレス３０の第３側面部３２Ｃと第４側面部３２Ｄのサイドに垂れる部分は、マットレス３０の下面部３１Ｂに巻き込むようにしてもよい。
【００４８】
また、上記のシーツ１において、袋状部２０の第１長辺部２０Ｃを、シーツ本体部１０の第１端部１１Ａに重ねて配置せずに、第１端部１１Ａと第２端部１１Ｂの間に配置することとしてもよい。
【符号の説明】
【００４９】
１  シーツ
１Ａ  シーツ
１Ｂ  シーツ
１０  シーツ本体部
１０Ａ  上面被覆部
１０Ｂ  折り返し部
１１Ａ  第１端部
１１Ｂ  第２端部
１１Ｃ  第３端部
１１Ｄ  第４端部
１３Ａ  第１角部
１３Ｂ  第２角部
１３Ｃ  第３角部
１３Ｄ  第４角部
２０  袋状部
２０−１  袋状部
２０−２  袋状部
２０Ａ  第１短辺部
２０Ｂ  第２短辺部
２０Ｃ  第１長辺部
２０Ｄ  第２長辺部
２１  縫合部
２３  開口部
３０  マットレス
３１Ａ  上面部
３１Ｂ  下面部
３２Ａ  第１側面部
３２Ｂ  第２側面部
３２Ｃ  第３側面部
３２Ｄ  第４側面部
【図１】
2019170413.tif 000003
【図２】
2019170413.tif 000004
【図３】
2019170413.tif 000005
【図４】
2019170413.tif 000006
【図５】
2019170413.tif 000007
【図６】
2019170413.tif 000008
【図７】
2019170413.tif 000009
【図８】
2019170413.tif 000010
【図９】
2019170413.tif 000011
【図１０】
2019170413.tif 000012
【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
マットレスを覆うシーツであって、
前記マットレスの少なくとも上面部を覆うシーツ本体部と、
前記シーツ本体部の第１角部と第２角部とを結ぶ第１端部に沿って取り付けられ、前記マットレスの側面部に掛止される袋状部と、を有し、
前記袋状部は、
第１短辺部と、第２短辺部と、第１長辺部と、第２長辺部と、を有する矩形状であり、
前記シーツ本体部よりも伸縮性が高い別の生地からなり、
前記第１短辺部が前記第１角部から所定距離離間した位置に、前記第２短辺部が前記第２角部から前記所定距離離間した位置に、前記第１長辺部が前記第１端部と重なる位置に設けられた状態で、それぞれが前記シーツ本体部に縫い付けられ、
前記第２長辺部と前記シーツ本体部との間の開口部が前記マットレスの側面部に掛止される、
ことを特徴とするシーツ。
【請求項２】
前記所定距離は、前記マットレスの上下方向の幅より長いことを特徴とする請求項１に記載のシーツ。
【請求項３】
前記袋状部は、前記マットレスの短辺側の前記側面部に掛止されることを特徴とする請求項１又は２に記載のシーツ。
【請求項４】
前記袋状部は、第１袋状部と第２袋状部を有し、
前記第１袋状部は、前記シーツ本体部の前記第１端部に取り付けられ、
前記第２袋状部は、前記シーツ本体部の前記第１端部と反対側の第２端部に取り付けられることを特徴とする請求項１乃至３のいずれかに記載のシーツ。
【請求項５】
前記袋状部は、前記第１端部に沿った第１方向の伸び率が１３０％〜１５０％の範囲、前記第１方向と垂直の第２方向の伸び率が１１０％〜１３０％の範囲の任意の値となることを特徴とする請求項１乃至４のいずれかに記載のシーツ。
【請求項６】
前記シーツ本体部は、綿、麻、シルクの少なくともいずれかを含む生地からなり、
前記袋状部は、ポリエステルとポリウレタンを含む生地からなることを特徴とする請求項１乃至５のいずれかに記載のシーツ。
【手続補正２】
【補正対象書類名】明細書
【補正対象項目名】０００８
【補正方法】変更
【補正の内容】
【０００８】
上記課題は、本発明に係るシーツによれば、マットレスを覆うシーツであって、前記マットレスの少なくとも上面部を覆うシーツ本体部と、前記シーツ本体部の第１角部と第２角部とを結ぶ第１端部に沿って取り付けられ、前記マットレスの側面部に掛止される袋状部と、を有し、前記袋状部は、第１短辺部と、第２短辺部と、第１長辺部と、第２長辺部と、を有する矩形状であり、前記シーツ本体部よりも伸縮性が高い別の生地からなり、前記第１短辺部が前記第１角部から所定距離離間した位置に、前記第２短辺部が前記第２角部から前記所定距離離間した位置に、前記第１長辺部が前記第１端部と重なる位置に設けられた状態で、それぞれが前記シーツ本体部に縫い付けられ、前記第２長辺部と前記シーツ本体部との間の開口部が前記マットレスの側面部に掛止される、ことにより解決される。
上記のシーツによれば、シーツの袋状部をマットレスの側面部に引っ掛けることで装着可能となる。また、シーツの袋状部がマットレスの側面部に係止された状態で、シーツ本体部をマットレスの他の側面部を覆うように垂らすことができる。
こうすることで、上記のシーツによれば、マットレスの上面部と側面部を覆うようにシーツをマットレスに装着する上で、マットレスの下面部に巻き込むシーツの箇所を減らすことができる。
これにより、上記のシーツによれば、一人でも簡単にシーツをマットレスに取り付けることができる。すなわち、上記のシーツによれば、シーツをマットレスに取り付ける労力を軽減できる。
また、こうすることで、シーツ本体部には第１側面部を覆う部分を設ける必要がないため、シーツ本体部の面積を小さくすることができる。
また、こうすることで、シーツ本体部がマットレスの両側面を覆うために必要な幅を最小にすることができる。これにより、マットレスの上面部と側面部を覆うために必要なシーツ本体部の面積を小さくすることができる。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
上記のシーツにおいて、前記所定距離は、前記マットレスの上下方向の幅より長くしてよい。
【手続補正５】
【補正対象書類名】明細書
【補正対象項目名】００１３
【補正方法】変更
【補正の内容】
【００１３】
上記のシーツにおいて、前記袋状部は、前記第１端部に沿った第１方向の伸び率が１３０％〜１５０％の範囲、前記第１方向と垂直の第２方向の伸び率が１１０％〜１３０％の範囲の任意の値となるようにしてよい。
こうすることで、袋状部をマットレスの第１側面部に取り付けやすくなる。そのため、シーツをマットレスに取り付ける作業性をより向上できる。
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
マットレスを覆うシーツであって、
前記マットレスの少なくとも上面部を覆うシーツ本体部と、
前記シーツ本体部の第１角部と第２角部とを結ぶ第１端部に沿って取り付けられ、前記マットレスの側面部に掛止される袋状部と、を有し、
前記袋状部は、
第１短辺部と、第２短辺部と、第１長辺部と、第２長辺部と、を有する矩形状であり、
前記シーツ本体部よりも伸縮性が高い別の生地からなり、
前記第１短辺部が前記第１角部から所定距離離間した位置に、前記第２短辺部が前記第２角部から前記所定距離離間した位置に、前記第１長辺部が前記第１端部と重なる位置に設けられた状態で、それぞれが前記シーツ本体部に縫い付けられ、
前記第２長辺部と前記シーツ本体部との間の開口部が前記マットレスの前記側面部に掛止されるよう、前記マットレスの上下方向の幅に応じて前記第１短辺部及び前記第２短辺部の長さが設定されていることを特徴とするシーツ。
【請求項２】
前記所定距離は、前記マットレスの上下方向の幅より長いことを特徴とする請求項１に記載のシーツ。
【請求項３】
前記袋状部は、前記マットレスの短辺側の前記側面部に掛止されることを特徴とする請求項１又は２に記載のシーツ。
【請求項４】
前記シーツ本体部の前記第１端部の反対側に、前記袋状部が掛止される側面部の反対側の側面部と前記マットレスの下面部とに沿って折り曲げられ、前記下面部に差し込まれる折り返し部を備えることを特徴とする、請求項１乃至３のいずれかに記載のシーツ。
【請求項５】
前記袋状部は、第１袋状部と第２袋状部を有し、
前記シーツ本体部は、第３角部と第４角部とを有し、前記第１角部と前記第３角部とが前記シーツ本体部の一方の対角線上に位置し、前記第２角部と前記第４角部とが前記シーツ本体部の他方の対角線上に位置し、
前記第１袋状部は、前記シーツ本体部の前記第１端部に取り付けられ、
前記第２袋状部は、前記シーツ本体部の前記第１端部の反対側にある第２端部であって、前記シーツ本体部の前記第３角部と前記第４角部とを結ぶ第２端部に沿って取り付けられることを特徴とする請求項１乃至３のいずれかに記載のシーツ。
【請求項６】
前記袋状部は、前記第１端部に沿った第１方向の伸び率が１３０％〜１５０％の範囲、前記第１方向と垂直の第２方向の伸び率が１１０％〜１３０％の範囲の任意の値となることを特徴とする請求項１乃至５のいずれかに記載のシーツ。
【請求項７】
前記シーツ本体部は、綿、麻、シルクの少なくともいずれかを含む生地からなり、
前記袋状部は、ポリエステルとポリウレタンを含む生地からなることを特徴とする請求項１乃至６のいずれかに記載のシーツ。
【手続補正２】
【補正対象書類名】明細書
【補正対象項目名】０００８
【補正方法】変更
【補正の内容】
【０００８】
上記課題は、本発明に係るシーツによれば、マットレスを覆うシーツであって、前記マットレスの少なくとも上面部を覆うシーツ本体部と、前記シーツ本体部の第１角部と第２角部とを結ぶ第１端部に沿って取り付けられ、前記マットレスの側面部に掛止される袋状部と、を有し、前記袋状部は、第１短辺部と、第２短辺部と、第１長辺部と、第２長辺部と、を有する矩形状であり、前記シーツ本体部よりも伸縮性が高い別の生地からなり、前記第１短辺部が前記第１角部から所定距離離間した位置に、前記第２短辺部が前記第２角部から前記所定距離離間した位置に、前記第１長辺部が前記第１端部と重なる位置に設けられた状態で、それぞれが前記シーツ本体部に縫い付けられ、前記第２長辺部と前記シーツ本体部との間の開口部が前記マットレスの前記側面部に掛止されるよう、前記マットレスと上下方向の幅に応じて前記第１短辺部及び前記第２短辺部の長さが設定されている、ことにより解決される。
上記のシーツによれば、シーツの袋状部をマットレスの側面部に引っ掛けることで装着可能となる。また、シーツの袋状部がマットレスの側面部に係止された状態で、シーツ本体部をマットレスの他の側面部を覆うように垂らすことができる。
こうすることで、上記のシーツによれば、マットレスの上面部と側面部を覆うようにシーツをマットレスに装着する上で、マットレスの下面部に巻き込むシーツの箇所を減らすことができる。
これにより、上記のシーツによれば、一人でも簡単にシーツをマットレスに取り付けることができる。すなわち、上記のシーツによれば、シーツをマットレスに取り付ける労力を軽減できる。
また、こうすることで、シーツ本体部には第１側面部を覆う部分を設ける必要がないため、シーツ本体部の面積を小さくすることができる。
また、こうすることで、シーツ本体部がマットレスの両側面を覆うために必要な幅を最小にすることができる。これにより、マットレスの上面部と側面部を覆うために必要なシーツ本体部の面積を小さくすることができる。
【手続補正３】
【補正対象書類名】明細書
【補正対象項目名】００１１
【補正方法】変更
【補正の内容】
【００１１】
上記のシーツにおいて、前記袋状部は、前記マットレスの短辺側の前記側面部に掛止されるとよい。
こうすることで、マットレスの短辺側の側面部に袋状部を取り付けることにより、マットレスの長辺側の側面部に袋状部を取り付ける場合に比べて、袋状部の取付が容易となる。
また、上記シーツにおいて、前記シーツ本体部の前記第１端部の反対側に、前記袋状部が掛止される側面部の反対側の側面部と前記マットレスの下面部とに沿って折り曲げられ、前記下面部に差し込まれる折り返し部を備えるとよい。
【手続補正４】
【補正対象書類名】明細書
【補正対象項目名】００１２
【補正方法】変更
【補正の内容】
【００１２】
上記のシーツにおいて、前記袋状部は、第１袋状部と第２袋状部を有し、前記シーツ本体部は、第３角部と第４角部とを有し、前記第１角部と前記第３角部とが前記シーツ本体部の一方の対角線上に位置し、前記第２角部と前記第４角部とが前記シーツ本体部の他方の対角線上に位置し、前記第１袋状部は、前記シーツ本体部の前記第１端部に取り付けられ、前記第２袋状部は、前記シーツ本体部の前記第１端部の反対側にある第２端部であって、前記シーツ本体部の前記第３角部と前記第４角部とを結ぶ第２端部に沿って取り付けられるとよい。
こうすることで、シーツを左右対称に構成することができる。これにより、第１袋状部と第２袋状部のいずれかを第１側面部に掛止することにより、シーツをマットレスに取り付けることができる。すなわち、シーツをマットレスに取り付ける際のシーツの向きを合わせる労力を軽減できる。そのため、シーツをマットレスに取り付ける作業性を更に向上できる。